【事件の表示】
　特願２０１６−５２８３３１「アップリンク制御情報の送信方法及び装置」拒絶査定不服審判事件〔平成２７年　１月２９日国際公開、ＷＯ２０１５／０１０６０２、平成２８年　９月２３日国内公表、特表２０１６−５２９７９９〕について、次のとおり審決する。
【結　論】
　本件審判の請求は、成り立たない。
【理　由】
第１　手続の経緯
　本願は、２０１４年（平成２６年）７月２２日（パリ条約による優先権主張外国庁受理、２０１３年７月２３日　（ＣＮ）中華人民共和国）を国際出願日とする出願であって、その手続の経緯は以下のとおりである。
　平成２８年　１月２０日　　　手続補正書の提出
　平成２９年　１月１３日付け　拒絶理由通知書
　平成２９年　４月２１日　　　意見書、手続補正書の提出
　平成２９年　７月２４日付け　拒絶査定
　平成２９年１１月３０日　　　拒絶査定不服審判の請求、手続補正書の提　　　　　　　　　　　　　　　出
　平成３０年１０月３０日付け　拒絶理由通知書（当該通知書で通知した拒　　　　　　　　　　　　　　　絶理由を、以下「当審拒絶理由」という。　　　　　　　　　　　　　　　）
　平成３１年　３月　５日　　　意見書、手続補正書の提出
第２　本願発明
　本願の請求項に係る発明は、平成３１年３月５日に提出された手続補正書により補正された特許請求の範囲の請求項１ないし１９に記載された事項により特定されるものであるところ、請求項１に係る発明（以下、「本願発明」という。）は、以下のとおりのものであると認める。
「アップリンク制御情報の送信方法であって、
　端末が、第１キャリアにおいて、第１基地局によりスケジューリングされるデータを受信し、かつ、第２キャリアにおいて、第２基地局によりスケジューリングされるデータを受信するステップと、
　前記端末が、前記第１キャリアのために第１アップリンク制御情報を生成し、前記端末が、前記第２キャリアのために第２アップリンク制御情報を生成するステップと、
　前記端末が、予め設定されたタイミングアドバンス（Ｔｉｍｉｎｇ　Ａｄｖａｎｃｅ、ＴＡ）値及び予めプロトコルにより定義された又は予め設定された当該端末のアップリンク送信時間を得るために用いられる参照キャリアに基づいて、１つのアップリンクキャリアにおいて前記端末が生成したアップリンク制御情報を送信するステップと、
　を含み、
　前記アップリンク制御情報は、前記第１アップリンク制御情報であるか、前記第２アップリンク制御情報であり、
　前記端末が、前記ＴＡ値及び前記参照キャリアに基づいて、前記１つのアップリンクキャリアにおいて前記アップリンク制御情報を送信するステップは、
　前記端末が、予め設定されたタイミングアドバンス（ＴＡ）値、及び、当該端末のアップリンク送信時間を得るために用いられる予めプロトコルにより定義された又は予め設定された参照キャリアに基づいて、アップリンク送信時間を確定するステップと、
　前記端末が、前記１つのアップリンクキャリアにおいて、前記アップリンク送信時間に基づいて、前記アップリンク制御情報を送信するステップとを含み、
　前記端末は以下の方法により前記ＴＡ値及び／又は前記参照キャリアを取得し、すなわち、
　前記端末は前記第１基地局が送信した設定情報を受信し、前記ＴＡ値及び前記参照キャリアを取得し、又は、
　前記端末は前記第２基地局が送信した設定情報を受信し、前記ＴＡ値及び前記参照キャリアを取得し、又は
　前記端末は前記第１基地局及び前記第２基地局以外の１つの予めプロトコルにより定義された基地局が送信した設定情報を受信し、前記ＴＡ値及び前記参照キャリアを取得し、又は、
　前記端末は前記端末のプライマリーキャリアをスケジューリングする基地局が送信した設定情報を受信し、前記ＴＡ値及び前記参照キャリアを取得し、又は、
　前記端末は前記１つのアップリンクキャリアをスケジューリングする基地局が送信した設定情報を受信し、前記ＴＡ値及び前記参照キャリアを取得し、又は、
　前記端末は前記１つのアップリンクキャリアにおける物理アップリンク共有チャネル（ＰＵＳＣＨ）伝送及びサウンディング参照符号（ＳＲＳ）伝送及びサウンディング参照符号（ＳＲＳ）伝送をスケジューリングする基地局が送信した設定情報を受信し、前記ＴＡ値及び前記参照キャリアを取得し、又は、
　前記端末は前記１つのアップリンクキャリアにおける現行アップリンクサブフレーム、又は、現行サブフレームの隣接の１つのアップリンクサブフレームにおける物理アップリンク共有チャネル（ＰＵＳＣＨ）伝送及びサウンディング参照符号（ＳＲＳ）伝送及び／又はサウンディング参照符号（ＳＲＳ）伝送をスケジューリングする基地局が送信した設定情報を受信し、前記ＴＡ値及び前記参照キャリアを取得し、前記現行サブフレームは、アップリンク制御情報の送信に用いられる、
　ことを特徴とするアップリンク制御情報の送信方法。」
第３　拒絶の理由
　当審拒絶理由の概要は、
「１．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」
というものであり、平成３１年３月５日にされた手続補正前の請求項２に係る発明（本願発明に対応）に対して、下記の５、６が引用されている。
  ５．Intel Corporation、Challenges in the uplink to support dual connectivity[online], 3GPP TSG RAN WG2 Meeting #82, ２０１３年５月１１日アップロード, R2-131986  ＜URL:http://www.3gpp.org/ftp/tsg_ran/WG2_RL2/TSGR2_82/docs/＞ 
 ６．特表２０１３−５２４５９８号公報 
第４　引用例等に記載された事項及び引用発明等
１．引用発明
　当審拒絶理由で引用されたIntel Corporation、Challenges in the uplink to support dual connectivity（当審仮訳：デュアルコネクティビティをサポートするためのアップリンクにおける課題）[online], 3GPP TSG RAN WG2 Meeting #82, ２０１３年５月１１日アップロード, R2-131986  ＜URL:http://www.3gpp.org/ftp/tsg_ran/WG2_RL2/TSGR2_82/docs/＞ （以下、「引用例」という。）には、以下の事項が記載されている。（下線は当審が付与。）
（１）「1 Introduction
Dual connectivity is one of the potential solutions to address the challenges for small cell deployments. Uplink capability is one of the most important factors for dual connectivity supporting from UE's perspective. One straightforward option is that UE is always required to have a UL Carrier Aggregation (CA) capability for dual connectivity supporting. However UL CA generally incurs high-complexity UE implementation and hence no testing requirements are specified by RAN4 yet for UL CA supporting even in Rel-11. Two Tx RF chain dramatically increases UE complexity and cost as well. Moreover, Intermodulation (IM) may be generated whenever simultaneous multiple CCs transmission is present. De-rating the PA is therefore usually a preferable strategy (as opposed to increasing the power headroom) to enable UEs to meet the OOB emission requirements without a loss of efficiency, but at the expense of a loss in coverage due to the reduced transmission power in the wanted channel.
From above discussions, it is necessary to discuss how to support dual connectivity for single UL CC capable of UEs. There are mainly two options for dual-connectivity supporting with single UL CC capability:
- Option 1: UE transmits to macro and small cell in TDM fashion [1].
-
 Option 2: UE transmits to one cell only, which implies that UL feedback (e.g. HARQ-ACK/CSI, RLC status) needs to be forwarded from one cell to another.
In this contribution, we analyze the challenges of each option and compare the two options.」（１ページ）
（当審仮訳：
１　はじめに
　デュアルコネクティビティは、スモールセル配置に対する課題に取り組むための潜在的な解決策の１つである。ＵＥの観点から、アップリンクの能力は、デュアルコネクティビティをサポートするための最も重要な要素の１つである。１つの直接的な選択肢は、デュアルコネクティビティをサポートするために、ＵＥが常にＵＬキャリアアグリゲーション（ＣＡ）機能を有することを要求されることである。しかしながら、ＵＬ ＣＡは、一般に複雑性の高いＵＥ実装を招くので、Ｒｅｌ−１１でさえも、ＵＬ ＣＡのサポートについて、テスト要件がＲＡＮ４によって、未だ指定されていない。２つのＴｘ　ＲＦチェーンは、ＵＥの複雑さとコストを劇的に増加させる。さらに、同時に複数のＣＣ送信が存在するときはいつでもインターモジュレーション（ＩＭ）が発生し得る。そのため、ＰＡの定格を下げることは、効率を損なうことなくＵＥがＯＯＢエミッション要件を満たすことができるようにするために、通常は（電力ヘッドルームを増やすのとは対照的に）望ましい戦略であるが、望ましいチャンネルにおいて、送信電力の低下によるカバレッジのロスを犠牲とする。
　
上記の検討から、シングルＵＬ ＣＣ能力を有するＵＥのために、どのようにデュアルコネクティビティをサポートするかを議論する必要がある。シングルＵＬ　ＣＣ能力により、デュアルコネクティビティをサポートするために、主に２つのオプションがある。
 -　オプション１：ＵＥはＴＤＭ方式でマクロおよびスモールセルに送信する［１］。
 - 
オプション２：ＵＥは１つのセルのみに送信し、これは、ＵＬフィードバック（例えば、ＨＡＲＱ−ＡＣＫ／ＣＳＩ、ＲＬＣステータス）が１つのセルから別のセルに転送される必要があることを意味する。
　本寄書では、各オプションの課題を分析し、２つのオプションを比較する。）
（２）「2.3 Option 2: UE transmits to one cell only
For one Component Carrier (CC) option, UE only transmits on one UL cell. One example is shown in Figure 3 below, where UE only transmits to macro cell. Macro cell handles UL control/data and forwards necessary PHY/MAC/RLC/PDCP information to pico cell.
In Option 2, 
both macro and small cell can transmit in any DL subframe, and UE operation in UL is similar to current CA operation.
（当審仮訳：
２．３　オプション２：ＵＥが１つのセルのみに送信する
　
１つのコンポーネントキャリア（ＣＣ）オプションの場合、ＵＥは１つのＵＬセル上でのみ送信する。一例が以下の図３に示されており、ＵＥはマクロセルにのみ送信する。マクロセルはＵＬ制御/データを取扱い、必要なＰＨＹ／ＭＡＣ／ＲＬＣ／ＰＤＣＰ情報をピコセルに転送する。
（図３略）
　図３：オプション２の例
　オプション２では、
マクロセルとスモールセルの両方が任意のＤＬサブフレームで送信することができ、ＵＬにおけるＵＥの動作は現在のＣＡの動作と同様である。
（３）「2.3.1 DL bearer handling
Macro cell needs to forward uplink control information (HARQ-ACK and CSI) to small cell. 
For example, as shown in Figure 4 below, if PDSCH is scheduled from small cell, the UE transmits HARQ-ACK to macro cell on PUCCH.
」（３ページ）
（当審仮訳：
２．３．１　ＤＬベアラの取扱い
　マクロセルは、アップリンク制御情報（ＨＡＲＱ−ＡＣＫおよびＣＳＩ）をスモールセルに転送する必要がある。
例えば、以下の図４に示されるように、ＰＤＳＣＨがスモールセルからスケジュールされる場合、ＵＥはＰＵＣＣＨ上でマクロセルにＨＡＲＱ−ＡＣＫを送信する。
（図４略）
　図４：オプション２におけるＨＡＲＱ−ＡＣＫ送信の例）
　上記各記載及び当業者における技術常識からみて、以下のことがいえる。
ア　上記（３）の記載によれば、ＵＥがマクロセルにＨＡＲＱ−ＡＣＫを送信するといえる。したがって、引用例には、「ＨＡＲＱ−ＡＣＫの送信方法」が記載されているといえる。
イ　上記（２）の記載及び図３によれば、マクロセルとスモールセルの両方が任意のＤＬサブフレームでＵＥへ送信するから、ＵＥが、マクロセルによりデータを受信し、かつ、スモールセルによりデータを受信するといえる。さらに、上記（１）の記載によれば、ＵＥは、デュアルコネクティビティで動作しているといえ、デュアルコネクティビティでは、２つのｅＮＢがそれぞれコンポーネントキャリアにおいて、データを送信することが技術常識であって、それらのコンポーネントキャリアを第１のコンポーネントキャリア、第２のコンポーネントキャリアと称することは、任意である。また、上記（３）の記載及び図４によれば、スモールセルについて、自身が送信するＰＤＳＣＨをスケジュールするといえ、さらに、デュアルコネクティビティでは、各ｅＮＢが送信するデータについては、送信するｅＮＢ自身がスケジュールすることが技術常識である。したがって、引用例には、「ＵＥが、第１コンポーネントキャリアにおいて、マクロセルによりスケジューリングされるデータを受信し、かつ、第２コンポーネントキャリアにおいて、スモールセルによりスケジューリングされるデータを受信するステップ」が記載されているといえる。
ウ　上記イのとおり、ＵＥは、第１コンポーネントキャリアにおいて、マクロセルによりスケジューリングされるデータを受信し、かつ、第２コンポーネントキャリアにおいて、スモールセルによりスケジューリングされるデータを受信する。ＤＬコンポーネントキャリア毎にＨＡＲＱ−ＡＣＫが必要であることは、技術常識であって、２つのＤＬコンポーネントキャリアに対応するそれぞれのＨＡＲＱ−ＡＣＫを、第１ＨＡＲＱ−ＡＣＫ、第２ＡＲＱ−ＡＣＫと称することは任意である。したがって、引用例には、「ＵＥが、第１コンポーネントキャリアのために第１ＨＡＲＱ−ＡＣＫを生成し、前記ＵＥが、第２コンポーネントキャリアのために第２ＨＡＲＱ−ＡＣＫを生成するステップ」が記載されているといえる。
エ　上記（２）の記載及び図３によれば、ＵＥは、マクロセルの１つのＵＬコンポーネントキャリアでのみ送信するといえるから、ＵＥが生成したＨＡＲＱ−ＡＣＫは、当該マクロセルの１つのＵＬコンポーネントキャリアにおいて送信されるといえる。また、上記（２）の記載によれば、ＵＬにおけるＵＥの動作は現在のＣＡの動作と同様である。したがって、引用例には、「ＵＥが、ＣＡと同様の動作により、マクロセルの１つのＵＬコンポーネントキャリアにおいて前記ＵＥが生成したＨＡＲＱ−ＡＣＫを送信するステップ」が記載されているといえる。
オ　上記ウのとおり、ＵＥは、第１ＨＡＲＱ−ＡＣＫ及び第２ＨＡＲＱ−ＡＣＫを生成する。ここで、上記（２）の記載によれば、マクロセルとスモールセルの両方が任意のＤＬサブフレームで送信することができることから、ＵＥが、マクロセルの１つのＵＬコンポーネントキャリアにおいて送信するＨＡＲＱ−ＡＣＫは、マクロセルとスモールセルのＤＬサブフレームのタイミングに応じて、第１ＨＡＲＱ−ＡＣＫであるか第２ＨＡＲＱ−ＡＣＫであるか、その両方であることは、当業者にとって明らかである。したがって、引用例には、ＵＥが、マクロセルの１つのＵＬコンポーネントキャリアにおいて前記ＵＥが生成した「ＨＡＲＱ−ＡＣＫは、第１ＨＡＲＱ−ＡＣＫであるか、第２ＨＡＲＱ−ＡＣＫであるか、第１ＨＡＲＱ−ＡＣＫ及び第２ＨＡＲＱ−ＡＣＫである」ことが記載されているといえる。
　以上を総合すると、引用例には、次の発明（以下、「引用発明」という。）が記載されていると認められる。
「　ＨＡＲＱ−ＡＣＫの送信方法であって、
　ＵＥが、第１コンポーネントキャリアにおいて、マクロセルによりスケジューリングされるデータを受信し、かつ、第２コンポーネントキャリアにおいて、スモールセルによりスケジューリングされるデータを受信するステップと、
　前記ＵＥが、前記第１コンポーネントキャリアのために第１ＨＡＲＱ−ＡＣＫを生成し、前記ＵＥが、前記第２コンポーネントキャリアのために第２ＨＡＲＱ−ＡＣＫを生成するステップと、
　前記ＵＥが、ＣＡと同様の動作により、マクロセルの１つのＵＬコンポーネントキャリアにおいて前記ＵＥが生成したＨＡＲＱ−ＡＣＫを送信するステップと、
　を含み、
　前記ＨＡＲＱ−ＡＣＫは、前記第１ＨＡＲＱ−ＡＣＫであるか、前記第２ＨＡＲＱ−ＡＣＫであるか、前記第１ＨＡＲＱ−ＡＣＫ及び前記第２ＨＡＲＱ−ＡＣＫである、
　ＨＡＲＱ−ＡＣＫの送信方法。」
２．公知技術
　当審拒絶理由で引用された特表２０１３−５２４５９８号公報（平成２５年６月１７日公表。以下、「公知例」という。）には、図面とともに以下の事項が記載されている。（下線は当審が付与。）
（１）「【０００６】
　現行のセルラシステム、例えばＬＴＥは、複数のユーザに対するスペクトル周波数の連続割当てのみを利用しているが、それらは、これらの割当てが異なる帯域幅であってよいという点で柔軟性がある。これによって、無線周波数が効率的に用いられることが可能になり、スループット／サービス品質の必要条件が低いユーザには、必要性の高いユーザより狭いスペクトル帯域幅を割当てることができる。上記の連続スペクトルおよび離散スペクトルの結合をさらに支援するはずのこれらのタイプの現行のセルラシステムの正攻法の進化は、マルチキャリア運用を導入することである。この意味するところは、個々の割り当てられたスペクトルの「分量（チャンク）」が、３ＧＰＰリリース８標準規格に準拠するＬＴＥシステムにおいて遭遇するはずの周波数の割当てに対応するであろうということである。その結果、「４Ｇ」移動端末は、異なるキャリア周波数で送信された（場合によっては異なる帯域幅の）複数のそのようなＬＴＥキャリアを受信することができるであろう。図３は、そのような例示的なシステムを示す。サービングノード３０１が、サービングノードのセル３０５の中に位置するＵＥ３０３にサービスを提供する。サービングノード３０１は、ＵＥ３０３によって用いられるスペクトルの１つの「チャンク」を割り当てる。第２のノード３０７が、ＵＥ３０３の位置するセル３０９にサービス提供し、ＵＥ３０３によって用いられるスペクトルのもう１つの「チャンク」を割り当てる。第３のノード３１１が、ＵＥ３０３の位置するセル３１３にサービス提供し、ＵＥ３０３によって用いられるスペクトルのさらに別のチャンクを割り当てる。これは、可能性のある多くの例示的実施形態の１つにすぎないことは重要である。例えば、サービングノードの１つ、いくつか、またはすべてが、同じ物理的位置に配置されてもよい。
【０００７】
　ＬＴＥシステムの能力を拡張するために提案されているものを含めて、シングルキャリアシステムを基にした多くのマルチキャリアシステムでは、マルチキャリア運用は、シングルキャリアモードにおけるキャリアのうちの１つだけによる通信を用いてセットアップされる。このキャリアは、しばしば、アンカーキャリアと呼ばれ、あるいは、プライマリコンポーネントキャリアとも呼ばれる。マルチキャリア運用で用いられるその他のキャリアは、副キャリアまたは副コンポーネントキャリアと呼ばれる。マルチキャリア運用が確立された後は、どのキャリアがプライマリコンポーネントキャリアの役割を果たすかという割当ては、変わりうる。
【０００８】
　セルラ通信の重要な側面の１つは、ｅＮＢとユーザ装置との間でアップリンクおよびダウンリンクの信号の同期を相互に維持することである。ＬＴＥシステムでは、信号変調は、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ（ＯＦＤＭ）を基にする。アップリンクにおけるユーザの信号間の直交性を維持するためには、いわゆるタイミングアドバンスコマンドがネットワークノードからユーザ装置に送信されることが必要である。
個々のタイミングアドバンスコマンドは、それを受信するユーザ装置に、どの瞬間に信号をｅＮＢに送信し始めるべきかを知らせる（例えば、これは、基準タイミングシステムからのタイミングオフセットとして表わされてもよい）。
　個々の端末についての適切なタイミングアドバンスは、ｅＮＢによって推定され、タイミングアドバンスコマンドがダウンリンクのシグナリングの中でユーザ装置へ通信され、次いで、ユーザ装置は、ユーザ装置のタイミングをタイミングアドバンスコマンドに従って適合させることができる。ユーザ装置とｅＮＢとの間のアップリンクおよびダウンリンクのシングルキャリアだけをサポートする従来のタイミングアドバンス手順は、ＬＴＥシステムについての標準規格書のリリース８に明記されている。
【０００９】
　従来のシステム（例えば、上記のＬＴＥリリース８）では、アップリンクのタイミングアドバンスは、単一の基準セルのタイミングに基づいて定義されており、ユーザ装置が接続されているダウンリンクのシングルキャリア上で送信される。しかし、マルチキャリアシステムにおけるユーザ装置の動作は、解決される必要のある新たな技術的課題となっている。
【００１０】
　ゆえに、マルチキャリアシステムにおけるタイミングアドバンス機能についての方法および装置の必要性がある。
（中略）
【００３０】
　第１の例示的な実施形態において、
送信機と受信機とを有する通信装置を備えたユーザ装置が、少なくとも２つのダウンリンクキャリアと少なくとも１つのアップリンクキャリアとを介してユーザ装置と通信するマルチキャリアＬＴＥシステムにおいて採用されている。
【００３１】
　ユーザ装置４００は、マルチコンポーネントキャリアシステムへのコネクション（接続）、例えばマルチキャリアＬＴＥシステムへの接続（例えばｅＮＢへの接続）またはデュアルセルＨＳＰＡシステムへの接続を確立する（ステップ４０１）。これは、ユーザ装置が、１つのプライマリコンポーネントダウンリンクキャリア上でサービングセルに接続され、少なくとも１つの副コンポーネントダウンリンクキャリア上で少なくとも１つのその他のセルに接続されることを意味する。
【００３２】
　
ユーザ装置４００は、リファレンス（基準）セルによって送信されたリファレンスダウンリンクキャリアのタイミングを判定する（ステップ４０３）。
【００３３】
　・プライマリダウンリンクキャリアまたはアンカーダウンリンクキャリアに関連付けられたセル
　・セルのダウンリンク同期特性がどの程度信頼できるかに基づいた各リストを優先させる或るリストに基づいたプライマリキャリアまたはセカンダリキャリアに関連付けられたセル
　・最初に検出されたダウンリンクパスを有するダウンリンクキャリアを送信しているセル
　・アップリンクキャリアが１つしかない場合、その唯一のアップリンクキャリアに関連付けられたセルのダウンリンクキャリア
　・タイミングアドバンスコマンドが受信されたダウンリンクキャリアに関連付けられたセル
　・セルと、ユーザ装置（通信装置）が現在使用している接続のコネクションセットアップのために使用していた基準キャリア
　ソフトハンドオーバをサポートする通信システム、例えば、Ｗｉｄｅｂａｎｄ  Ｃｏｄｅ  Ｄｉｖｉｓｉｏｎａｌ  Ｍｕｌｔｉｐｌｅ  Ａｃｃｅｓｓ（ＷＣＤＭＡ）システムでは、基準セルは、リファレンスダウンリンクキャリア上で送信するいずれのセルであってもよく、例えば、
　・特定の端末のためのサービングセルとして動作するセル
　・端末のためのサービングセルとして最初に使用されたアクティブセットの中のセル
であってもよいだろう。
（「アクティブセット」とは、ＷＣＤＭＡシステムの説明において、ソフトハンドオーバの場合にＵＥがリッスン（受信）してそこからの情報を復号するようなセルのことであるということは、当分野では周知である。）
　タイミングは、典型的には、基準セルからのリファレンスダウンリンクキャリア上での最初の信頼できる検出されたパスとして定義され、典型的には、受信信号を、同期信号もしくはパイロット信号（ＬＴＥシステムでは、プライマリ（主）同期信号もしくはセカンダリ（副）同期信号、または基準信号）のような既知の信号と相関させることによって判定される。）
　次いで、
ユーザ装置は、タイミングアドバンスコマンドをネットワークノード（例えばｅＮＢ）から受信する（ステップ４０５）。
基準セルのリファレンスダウンリンクキャリアから確定されたダウンリンクタイミングに基づいて、かつ、タイミングアドバンスコマンドにも基づいて、送信タイミング（例えば、送信機の電力増幅器および／または、その他の無線チップにおける送信機関連部分の動作の開始／中止のタイミング）が調整され、送信されることになる情報が、タイミング判定に従って調整される（ステップ４０７）
【００３４】
　図５は、図４に示すかまたは図４に描かれたものと同等の機能を実行するための回路部を備えた例示的なユーザ装置５００のブロック図である。発明の実施形態による各種の態様を読者が理解しやすいようにするため、本発明に関連のある回路部だけを示す。当業者であれば、ユーザ装置に関連する他の周知の回路部も含まれることは、認識するであろう。
【００３５】
　無線周波数信号が、アンテナ５０１によって送受信される。この例示的な実施形態では、受信と送信との両方に共用される単一のアンテナを示している。代替実施形態では、複数のアンテナが送信および／または受信用に用いられてもよく、そして、受信機および送信機が、１つ以上のこれらのアンテナを共有してもよいし、しなくてもよい。
【００３６】
　データを送信するため、ユーザ装置５００は、送信されることになる供給されたデジタルデータを変調する変調器５０３を含んでいる。変調されたデータは、デジタル−アナログ変換器（ＤＡＣ）５０５によってアナログ形式に変換される。結果として生じるアナログ信号は、例えば電力増幅器（ＰＡ）５０９を含むフロントエンド送信機回路部（ＦＥ  ＴＸ）５０７に供給される。
【００３７】
　変調器５０３およびフロントエンド送信機回路部５０７は、制御ユニット５１１によって制御される。制御ユニット５１１は、ユーザ装置５００の各種の回路部に、図４に関して上記の記述したもののような機能を実行させる制御信号を生成する。制御ユニット５１１は、複数の異なる形態で実施されることができ、そのいずれも必須ではない。例えば、ハードワイヤーによる論理回路部が使用されうる。あるいは、プログラマブルプロセッサ５１３が、本明細書の中に記述された所望の機能を実行するための（例えば、メモリ５１５の中に記憶された）プログラム命令の適切なセットを使ってプログラムされてもよい。また、当業者であれば、制御ユニット５１１が、ハードワイヤーによる論理回路部と適切にプログラムされたプロセッサ５１３との混合物として実施されうることを認識するであろう。
【００３８】
　次に受信機側に目を向けると、アンテナ５０１によってピックアップされた無線周波数信号が、フロントエンド受信機（ＦＥＲＸ）回路部５１７に供給される。所望の搬送波上の信号が、アナログベースバンド信号にダウンコンバートされ、次いで、アナログ・ツー・デジタルコンバータ（ＡＤＣ）５１９によってデジタル形式にコンバート（変換）される。
【００３９】
　ユーザ装置４００はマルチキャリアシステムの中で動作しているため、複数（１・・・Ｎ）のコンポーネントキャリアＣＣ１・・ＣＣＮが、ＡＤＣ５１９の出力時にデジタル形式で供給される。これらが、検出器５２１と同期回路部５２３とに提供される。
【００４０】
　同期回路部５２３は、個々のコンポーネントキャリアＣＣ１・・ＣＣＮのタイミングを判定し、このタイミング情報を検出器５２１に供給し、
検出器５２１は、それによって、各コンポーネントキャリア上で搬送されるデータを検出することが可能になる。
この検出されたデータは、検出器５２１の１つ以上の出力ポートで供給される。
【００４１】
　また、
同期回路部５２３は、コンポーネントキャリアＣＣ１・・ＣＣＮのどれがリファレンスダウンリンクキャリアであるのか知ることを可能にする、ダウンリンク基準キャリアについての情報を受信する。基準セル／キャリアの判定は、高位レイヤ復号ユニット（図示せず）によって行われ、高位レイヤ処理回路部へ転送された検出されたデータに基づいている。
制御ユニット５１１は、リファレンスダウンリンクキャリアについてのタイミングとタイミングアドバンスコマンドを用いて、いつデータ送信が行われるべきかを確定する。
（２）「
」
（３）「【図５】
」
　上記記載及び当業者における技術常識からみて、以下のことがいえる。
ア　上記（１）の段落【００３０】の記載によれば、公知例には、「少なくとも２つのダウンリンクキャリアと少なくとも１つのアップリンクキャリアとを介してユーザ装置と通信するマルチキャリアＬＴＥシステム」が記載されているといえる。
イ　上記（１）の段落【００３３】の記載及び上記（２）の【図４】によれば、ユーザ装置は、ステップ４０５において、タイミングアドバンスコマンドをｅＮＢから受信し、ステップ４０７において、タイミングアドバンスコマンド及びリファレンスダウンリンクキャリアに基づいて、送信タイミングを調整し、その送信タイミングに基づいて、情報を送信するといえる。
　ここで、上記（１）の段落【０００８】の記載によれば、タイミングアドバンスコマンドは、それを受信するユーザ装置に、どの瞬間に信号をｅＮＢに送信し始めるべきかを知らせるものであって、タイミングオフセットを表すといえる。また、上記（１）の段落【００４１】の記載及び上記（３）の【図５】によれば、ユーザ装置の制御ユニット５１１は、リファレンスダウンリンクキャリアとタイミングアドバンスコマンドを用いて、いつデータ送信が行われるべきかを確定することから、送信タイミングを調整することは、送信タイミングを確定することを含むといえる。してみると、ユーザ装置は、ステップ４０５において、タイミングオフセットを表すタイミングアドバンスコマンドをｅＮＢから受信し、ステップ４０７において、タイミングオフセット及びリファレンスダウンリンクキャリアに基づいて、ｅＮＢへの送信タイミング、すなわちアップリンクの送信タイミングを確定して、そのアップリンクの送信タイミングに基づいて、アップリンクの情報を送信するといえる。
　さらに、ステップ４０７より前のステップ４０５の時点でタイミングオフセットを受信していることから、ステップ４０７では、ユーザ装置に、タイミングオフセットが予め設定されているといえる。
　また、上記（１）の段落【００３２】の記載及び上記（２）の【図４】によれば、ユーザ装置は、ステップ４０３において、リファレンス（基準）セルによって送信されたリファレンスダウンリンクキャリアのタイミングを判定することから、ステップ４０３の時点で、ユーザ装置には、リファレンスダウンリンクキャリアがどのキャリアであるか設定されているといえる。そのため、ステップ４０３より後のステップ４０７の時点においては、ユーザ装置には、リファレンスダウンリンクキャリアが予め設定されているといえる。
　したがって、公知例には、「ユーザ装置が、予め設定されたタイミングオフセット及び予め設定されたリファレンスダウンリンクキャリアに基づいて、アップリンクの送信タイミングを確定して、前記アップリンクの送信タイミングに基づいて、アップリンクの情報を送信する」ことが記載されているといえる。
ウ　上記イの検討によれば、ユーザ装置は、ｅＮＢからタイミングアドバンスコマンドを受信し、タイミングオフセットを取得するといえる。
　また、上記（１）の段落【００４１】の記載及び上記（３）の【図５】によれば、ユーザ装置の同期回路部５２３は、コンポーネントキャリアＣＣ１・・ＣＣＮのどれがリファレンスダウンリンクキャリアであるのか知ることを可能にする、ダウンリンク基準キャリアについての情報を受信し、基準セル／キャリアの判定は、高位レイヤ復号ユニットによって行われ、高位レイヤ処理回路部へ転送された検出されたデータに基づいている。そのため、この検出されたデータには、リファレンスダウンリンクキャリアについての情報が含まれているといえる。ここで、上記（１）の段落【００４０】の記載及び上記（３）の【図５】によれば、検出されたデータとは、ユーザ装置の検出器５２１が各コンポーネントキャリア上で搬送されるデータを検出したものであるから、高位レイヤ処理回路部へ転送された検出されたデータは、各コンポーネントキャリア上で搬送されるデータといえるから、ｅＮＢから受信するものといえる。してみると、ユーザ装置は、ｅＮＢからリファレンスダウンリンクキャリアについての情報を受信し、リファレンスダウンリンクキャリアを取得するといえる。
　したがって、公知例には、「ユーザ装置はｅＮＢからタイミングアドバンスコマンド及びリファレンスダウンリンクキャリアについての情報を受信し、タイミングオフセット及びリファレンスダウンリンクキャリアを取得する」ことが記載されている。
　以上を総合すると、公知例には、次の技術（以下、「公知技術」という。）が記載されていると認められる。
「少なくとも２つのダウンリンクキャリアと少なくとも１つのアップリンクキャリアとを介してユーザ装置と通信するマルチキャリアＬＴＥシステムにおいて、
　ユーザ装置が、予め設定されたタイミングオフセット及び予め設定されたリファレンスダウンリンクキャリアに基づいて、アップリンクの送信タイミングを確定して、前記アップリンクの送信タイミングに基づいて、アップリンクの情報を送信すること、
　前記ユーザ装置はｅＮＢからタイミングアドバンスコマンド及びリファレンスダウンリンクキャリアについての情報を受信し、前記タイミングオフセット及び前記リファレンスダウンリンクキャリアを取得すること。」
第５　対比及び判断
　本願発明と引用発明とを対比すると、以下のとおりとなる。
１．本願の発明の詳細な説明の段落【００８１】、【００８２】によれば、本願発明の「アップリンク制御情報」は、「肯定応答（Ａｃｋｎｏｗｌｅｄｇｅｍｅｎｔ，ＡＣＫ）／否定応答（Ｎｅｇａｔｉｖｅ　Ａｃｋｎｏｗｌｅｄｇａｍｅｎｔ，ＮＡＣＫ）フィードバック情報」を含むといえる。そして、引用発明の「ＨＡＲＱ−ＡＣＫ」は、「肯定応答（Ａｃｋｎｏｗｌｅｄｇｅｍｅｎｔ，ＡＣＫ）／否定応答（Ｎｅｇａｔｉｖｅ　Ａｃｋｎｏｗｌｅｄｇａｍｅｎｔ，ＮＡＣＫ）フィードバック情報」といえるから、本願発明の「アップリンク制御情報」に含まれる。したがって、引用発明の「ＨＡＲＱ−ＡＣＫの送信方法」は、「アップリンク制御情報の送信方法」という点で本願発明と一致する。
２．引用発明の「ＵＥ」、「第１コンポーネントキャリア」、「第２コンポーネントキャリア」は、それぞれ本願発明の「端末」、「第１キャリア」、「第２キャリア」に相当する。また、引用発明の「マクロセル」、「スモールセル」を、それぞれ「第１基地局」、「第２基地局」と称することは任意である。したがって、引用発明の「ＵＥが、第１コンポーネントキャリアにおいて、マクロセルによりスケジューリングされるデータを受信し、かつ、第２コンポーネントキャリアにおいて、スモールセルによりスケジューリングされるデータを受信するステップ」は、「端末が、第１キャリアにおいて、第１基地局によりスケジューリングされるデータを受信し、かつ、第２キャリアにおいて、第２基地局によりスケジューリングされるデータを受信するステップ」という点で本願発明と一致する。
３．引用発明の「前記ＵＥが、前記第１コンポーネントキャリアのために第１ＨＡＲＱ−ＡＣＫを生成し、前記ＵＥが、前記第２コンポーネントキャリアのために第２ＨＡＲＱ−ＡＣＫを生成するステップ」は、「前記端末が、前記第１キャリアのために第１アップリンク制御情報を生成し、前記端末が、前記第２キャリアのために第２アップリンク制御情報を生成するステップ」という点で本願発明と一致する。
４．引用発明の「マクロセルの１つのＵＬコンポーネントキャリア」は、本願発明の「１つのアップリンクキャリア」に含まれる。したがって、引用発明の「前記ＵＥが、ＣＡと同様の動作により、マクロセルの１つのＵＬコンポーネントキャリアにおいて前記ＵＥが生成したＨＡＲＱ−ＡＣＫを送信するステップ」は、「前記端末が、１つのアップリンクキャリアにおいて前記端末が生成したアップリンク制御情報を送信するステップ」という点で本願発明と共通する。
５．引用発明の「前記ＨＡＲＱ−ＡＣＫは、前記第１ＨＡＲＱ−ＡＣＫであるか、前記第２ＨＡＲＱ−ＡＣＫであるか、前記第１ＨＡＲＱ−ＡＣＫ及び前記第２ＨＡＲＱ−ＡＣＫである」ことは、「前記アップリンク制御情報は、前記第１アップリンク制御情報であるか、前記第２アップリンク制御情報であ」る点で本願発明と一致する。
　以上のことから、本願発明と引用発明との一致点及び相違点は、次のとおりである。
（一致点）
「　アップリンク制御情報の送信方法であって、
　端末が、第１キャリアにおいて、第１基地局によりスケジューリングされるデータを受信し、かつ、第２キャリアにおいて、第２基地局によりスケジューリングされるデータを受信するステップと、
　前記端末が、前記第１キャリアのために第１アップリンク制御情報を生成し、前記端末が、前記第２キャリアのために第２アップリンク制御情報を生成するステップと、
　前記端末が、１つのアップリンクキャリアにおいて前記端末が生成したアップリンク制御情報を送信するステップと、
　を含み、
　前記アップリンク制御情報は、前記第１アップリンク制御情報であるか、前記第２アップリンク制御情報である、
　アップリンク制御情報の送信方法。」
（相違点１）
　一致点である「前記端末が、１つのアップリンクキャリアにおいて前記端末が生成したアップリンク制御情報を送信するステップ」について、本願発明は、「予め設定されたタイミングアドバンス（Ｔｉｍｉｎｇ　Ａｄｖａｎｃｅ、ＴＡ）値及び予めプロトコルにより定義された又は予め設定された当該端末のアップリンク送信時間を得るために用いられる参照キャリアに基づいて、」との発明特定事項を有し、当該ステップは、「前記端末が、予め設定されたタイミングアドバンス（ＴＡ）値、及び、当該端末のアップリンク送信時間を得るために用いられる予めプロトコルにより定義された又は予め設定された参照キャリアに基づいて、アップリンク送信時間を確定するステップと、
　前記端末が、前記１つのアップリンクキャリアにおいて、前記アップリンク送信時間に基づいて、前記アップリンク制御情報を送信するステップとを含み、」との発明特定事項を有するのに対して、引用発明は、ＣＡと同様の動作であることは特定されているものの、これらの発明特定事項を有することが明らかでない点。
（相違点２）
　本願発明は、「前記端末は以下の方法により前記ＴＡ値及び／又は前記参照キャリアを取得し、すなわち、
　前記端末は前記第１基地局が送信した設定情報を受信し、前記ＴＡ値及び前記参照キャリアを取得し、又は、
　前記端末は前記第２基地局が送信した設定情報を受信し、前記ＴＡ値及び前記参照キャリアを取得し、又は
　前記端末は前記第１基地局及び前記第２基地局以外の１つの予めプロトコルにより定義された基地局が送信した設定情報を受信し、前記ＴＡ値及び前記参照キャリアを取得し、又は、
　前記端末は前記端末のプライマリーキャリアをスケジューリングする基地局が送信した設定情報を受信し、前記ＴＡ値及び前記参照キャリアを取得し、又は、
　前記端末は前記１つのアップリンクキャリアをスケジューリングする基地局が送信した設定情報を受信し、前記ＴＡ値及び前記参照キャリアを取得し、又は、
　前記端末は前記１つのアップリンクキャリアにおける物理アップリンク共有チャネル（ＰＵＳＣＨ）伝送及びサウンディング参照符号（ＳＲＳ）伝送及びサウンディング参照符号（ＳＲＳ）伝送をスケジューリングする基地局が送信した設定情報を受信し、前記ＴＡ値及び前記参照キャリアを取得し、又は、
　前記端末は前記１つのアップリンクキャリアにおける現行アップリンクサブフレーム、又は、現行サブフレームの隣接の１つのアップリンクサブフレームにおける物理アップリンク共有チャネル（ＰＵＳＣＨ）伝送及びサウンディング参照符号（ＳＲＳ）伝送及び／又はサウンディング参照符号（ＳＲＳ）伝送をスケジューリングする基地局が送信した設定情報を受信し、前記ＴＡ値及び前記参照キャリアを取得し、前記現行サブフレームは、アップリンク制御情報の送信に用いられる」との発明特定事項を有するのに対して、引用発明は、当該発明特定事項を有しない点。
　以下、相違点について検討する。
（相違点１及び２について）
　本願発明は、相違点１に関して、「予め設定されたタイミングアドバンス（Ｔｉｍｉｎｇ　Ａｄｖａｎｃｅ、ＴＡ）値及び予め設定された当該端末のアップリンク送信時間を得るために用いられる参照キャリア」との択一的な選択肢のうちの一部を有する発明を含み、相違点２に関して、「前記端末は以下の方法により前記ＴＡ値及び／又は前記参照キャリアを取得し、すなわち、
　前記端末は前記第１基地局が送信した設定情報を受信し、前記ＴＡ値及び前記参照キャリアを取得し、又は、
　前記端末は前記第２基地局が送信した設定情報を受信し、前記ＴＡ値及び前記参照キャリアを取得」するとの択一的な選択肢のうちの一部を有する発明を含むといえる。
　また、上記「第４」の「２．公知技術」で認定したとおり「少なくとも２つのダウンリンクキャリアと少なくとも１つのアップリンクキャリアとを介してユーザ装置と通信するマルチキャリアＬＴＥシステムにおいて、
　ユーザ装置が、予め設定されたタイミングオフセット及び予め設定されたリファレンスダウンリンクキャリアに基づいて、アップリンクの送信タイミングを確定して、前記アップリンクの送信タイミングに基づいて、アップリンクの情報を送信すること、
　前記ユーザ装置はｅＮＢからタイミングアドバンスコマンド及びリファレンスダウンリンクキャリアについての情報を受信し、前記タイミングオフセット及び前記リファレンスダウンリンクキャリアを取得すること。」は、公知技術である。ここで、公知技術の「タイミングオフセット」は、「タイミングアドバンス（Ｔｉｍｉｎｇ　Ａｄｖａｎｃｅ、ＴＡ）値」といえる。公知技術の「リファレンスダウンリンクキャリア」は、ユーザ装置、すなわち端末のアップリンクの送信タイミングを得るために用いられるといえるから、「端末のアップリンク送信時間を得るために用いられる参照キャリア」といえる。公知技術の「アップリンクの送信タイミング」は、「アップリンク送信時間」といえる。公知技術の「タイミングアドバンスコマンド及びリファレンスダウンリンクキャリアについての情報」は、ユーザ装置がタイミングオフセットとリファレンスダウンリンクキャリアを設定するための情報であるから、「設定情報」といえる。
　そして、公知技術の「少なくとも２つのダウンリンクキャリアと少なくとも１つのアップリンクキャリアとを介してユーザ装置と通信するマルチキャリアＬＴＥシステム」は、キャリアアグリゲーション、すなわちＣＡであることは、当業者にとって明らかであって、引用発明の「ＵＥ」は、ＣＡと同様の動作でアップリンクの送信を行うものであるから、引用発明に、公知技術を採用することに格別の困難性はなく、阻害要因も見出せない。
　したがって、引用発明に公知技術を採用し、ＵＥが、予め設定されたタイミングオフセット及び予め設定されたリファレンスダウンリンクキャリアに基づいて、アップリンクの送信タイミングを確定して、マクロセルの１つのＵＬコンポーネントキャリアにおいて、前記アップリンクの送信タイミングに基づいて、ＨＡＲＱ−ＡＣＫを送信するとともに、前記ＵＥがｅＮＢ、すなわちマクロセル又はスモールセルからタイミングアドバンスコマンド及びリファレンスダウンリンクキャリアについての情報を受信し、前記タイミングオフセット及び前記リファレンスダウンリンクキャリアを取得することは、当業者が適宜なし得ることである。
　よって、本願発明は、引用発明及び公知技術に基づいて当業者が容易に発明をすることができたものである。
　そして、本願発明が奏する効果も、当業者が引用発明及び公知技術から容易に予想できる範囲内のものである。
第６　むすび
　以上のとおり、本願発明は，特許法第２９条第２項の規定により特許を受けることができないから、他の請求項に係る発明について検討するまでもなく、本願は拒絶されるべきものである。
　よって、結論のとおり審決する。